(57)【特許請求の範囲】
【請求項１】
ディスク状の第１のメディアとディスクをカートリッジケース内に収納した第２のメディアとが共通の光ピックアップによって記録および／または再生される記録媒体駆動装置において、
前記第１のメディアを回転駆動する第１のターンテーブルが搭載された第１のブラケットと、前記第２のメディアを回転駆動する第２のターンテーブルが搭載された第２のブラケットと、これら第１および第２のブラケットを弾性部材を介して弾性的に支持するメインシャーシと、前記メインシャーシに対して接離する第１の方向および該第１の方向に交差する第２の方向へ移動可能で、前記光ピックアップを互いに平行な一対のガイドシャフトに沿って移送する移送機構が搭載されたドライブシャーシとを備え、
前記ドライブシャーシが前記第１の方向へ移動して前記メインシャーシに近接するとき、前記第１または第２のブラケットを前記弾性部材の弾発力により前記ガイドシャフトに圧接させて位置決めするように構成したことを特徴とする記録媒体駆動装置。
【請求項２】
請求項１の記載において、前記第１または第２のブラケットを前記両ガイドシャフトの３箇所に圧接させることを特徴とする記録媒体駆動装置。
【請求項３】
請求項２の記載において、前記第１および第２のブラケットのそれぞれに２つの位置決め溝と１つの平坦部を形成し、前記両位置決め溝を一方のガイドシャフトに圧接させると共に、前記平坦部を他方のガイドシャフトに圧接させることを特徴とする記録媒体駆動装置。
【発明の詳細な説明】
【０００１】
【発明の属する技術分野】
本発明は、ＣＤ（コンパクトディスク）とＭＤ（ミニディスク）に代表される２種類のメディアを共通の光ピックアップによって記録および／または再生することのできる記録媒体駆動装置に関する。
【０００２】
【従来の技術】
近年、車載用電子機器の種類は多様化する傾向にあり、例えばＣＤ（コンパクトディスク）プレーヤとＭＤ（ミニディスク）プレーヤの他にナビゲーションシステムや液晶ディスプレイ等の多くの電子機器を設置する要望がある。この場合において、一般的に行われているようにＣＤプレーヤとＭＤプレーヤのメカニズム同士を積層状態で設置すると、有効スペースのかなりの部分がこれら２種類のプレーヤによって占められてしまい、他の電子機器を設置するスペースが大きく制約を受けるという問題がある。
【０００３】
そこで、従来より、ＣＤプレーヤとＭＤプレーヤのメカニズム同士を一体化し、共通の光ピックアップを用いてＣＤとＭＤの両メディアから情報を再生できるようにした記録媒体駆動装置が提案されている。このものは、機器本体の前面にＣＤとＭＤを挿入・排出するための挿入口が開設されており、機器本体の内部には回転軸を中心に回転可能なドライブシャーシが配設されている。このドライブシャーシ上には光ピックアップとその移送機構が搭載されると共に、ＣＤ用ターンテーブルとＭＤ用ターンテーブルとが所定間隔をおいて支持されており、各ターンテーブルは専用のモータによって回転駆動されるようになっている。
【０００４】
このように概略構成された記録媒体駆動装置にあっては、ＣＤを挿入口から挿入した場合は、ドライブシャーシが所定角度回転してＣＤ用ターンテーブルをＣＤのセンタ位置まで移動し、このＣＤ用ターンテーブルによって回転駆動されるＣＤに対し光ピックアップを径方向へ移送することにより、ＣＤに記録された情報が再生される。また、ＭＤを挿入口から挿入した場合は、ドライブシャーシが所定角度回転してＭＤ用ターンテーブルをＭＤのカートリッジケース内に収納されたディスクのセンタ位置まで移動し、このＭＤ用ターンテーブルによって回転駆動されるディスクに対し光ピックアップを径方向へ移送することにより、ＭＤに記録された情報が再生される。
【０００５】
【発明が解決しようとする課題】
前述した従来の記録媒体駆動装置によれば、ドライブシャーシに搭載された共通の光ピックアップを用いてＣＤとＭＤの両メディアから情報を再生することができるため、ＣＤプレーヤとＭＤプレーヤを別々のメカニズムで構成してそれらを積層させた場合に比べると、装置全体の厚み（高さ）寸法を大幅に小さくすることができ、その分、他の電子機器を設置するスペースに余裕をもたせることができる。しかしながら、ドライブシャーシにＣＤ用ターンテーブルとＭＤ用ターンテーブルおよびそれらを回転駆動する専用のモータが搭載されており、このドライブシャーシを同一平面内で回転させることにより、ＣＤ用ターンテーブルとＭＤ用ターンテーブルを所定の再生位置に移動するように構成されているため、ＣＤとＭＤの両メディアを同時に挿入（収容）することはできず、例えば再生中のＣＤの代わりにＭＤを再生する場合は、挿入状態にあるＣＤを一旦排出した後にＭＤを挿入しなければならず、使い勝手が悪いという問題があった。
【０００６】
本発明は上記課題に鑑みなされたものであり、２種類のメディアを同時に収容でき、いずれか一方のメディアを選択的に記録または再生可能な記録媒体駆動装置を提供することを目的としている。
【０００７】
【課題を解決するための手段】
本発明は、メインシャーシ側に第１のメディアを回転駆動する第１のターンテーブルと第２のメディアを回転駆動する第２のターンテーブルとを弾性支持すると共に、このメインシャーシに対して移動可能なドライブシャーシ側に光ピックアップとその移送機構を搭載し、ドライブシャーシをメインシャーシに近接させたとき、第１または第２のブラケットを光ピックアップ移送機構のガイドシャフトに圧接させて位置決めすることとする。このように構成すると、メインシャーシ側の所定位置に装着された両メディアに対して光ピックアップを移動することができるため、両メディアを同時に収容していずれか一方のメディアを選択的に再生することが可能になり、しかも、両メディアと光ピックアップとの相対的な位置精度が向上するため、光ピックアップによる両メディアの記録および／または再生動作を確実に行うことができる。
【０００８】
【発明の実施の形態】
本発明の記録媒体駆動装置では、ディスク状の第１のメディアとディスクをカートリッジケース内に収納した第２のメディアとが共通の光ピックアップによって記録および／または再生される記録媒体駆動装置において、前記第１のメディアを回転駆動する第１のターンテーブルが搭載された第１のブラケットと、前記第２のメディアを回転駆動する第２のターンテーブルが搭載された第２のブラケットと、これら第１および第２のブラケットを弾性部材を介して弾性的に支持するメインシャーシと、前記メインシャーシに対して接離する第１の方向および該第１の方向に交差する第２の方向へ移動可能で、前記光ピックアップを互いに平行な一対のガイドシャフトに沿って移送する移送機構が搭載されたドライブシャーシとを備え、前記ドライブシャーシが前記第１の方向へ移動して前記メインシャーシに近接するとき、前記第１または第２のブラケットを前記弾性部材の弾発力により前記ガイドシャフトに圧接させて位置決めするように構成した。
【０００９】
上記第１のメディアは例えばＣＤ（コンパクトディスク）のようなディスク状記録媒体であり、また、第２のメディアは例えばＭＤ（ミニディスク）のようにカートリッジケース内にディスクが収納されて構成された記録媒体である。
【００１０】
上記構成によれば、ドライブシャーシを第１の方向へ移動させてメインシャーシから離間させると同時に、あるいは離間させた後に、このドライブシャーシを第２の方向へ移動させ、再度このドライブシャーシを第１の方向へ移動させてメインシャーシに近接させることにより、メインシャーシ側の所定位置に装着された両メディアに対して１つの光ピックアップを選択的に移動させることができるため、装置内に両メディアを同時に収容した状態でいずれか一方のメディアを選択して記録および／または再生することが可能となり、従来のように各メディアをその都度入れ替える操作が不要になり、使い勝手が非常に良好となる。また、ドライブシャーシをメインシャーシに近接させたとき、メインシャーシ側に弾性支持された第１または第２のブラケットがドライブシャーシ側に搭載された光ピックアップ移送機構のガイドシャフトに圧接されることにより、第１および第２のターンテーブルの傾きとガイドシャフトの傾きが同じになるため、両メディアと光ピックアップとの相対的な位置精度が向上し、光ピックアップによる両メディアの記録および／または再生動作を確実に行うことができる。
【００１１】
上記構成において、第１または第２のブラケットを両ガイドシャフトの３箇所に圧接させることが好ましく、このようにすると３点支持の原理により、両メディアと光ピックアップとの相対的な位置精度をより一層高めることができる。
【００１２】
また、上記構成において、第１および第２のブラケットのそれぞれに２つの位置決め溝と１つの平坦部を形成し、両位置決め溝を一方のガイドシャフトに圧接させると共に、平坦部を他方のガイドシャフトに圧接させることが好ましい。このように構成すると、光ピックアップ移送機構側の両ガイドシャフト間の寸法にバラツキが生じたとしても、このバラツキは平坦部の任意箇所がガイドシャフトに圧接されることによって吸収されるため、信頼性が向上する。
【００１３】
【実施例】
実施例について図面を参照して説明すると、図１は記録媒体駆動装置の正面図、図２はロック機構を示す平面図、図３はＣＤのプレイ状態を示す平面図、図４はＣＤのプレイ状態を示す正面図、図５はＣＤのプレイ状態を示す側面図、図６はＣＤ用ブラケットの平面図、図７はＣＤ用ブラケットとドライブシャーシの連結状態を示す説明図、図８はＭＤ用ブラケットの平面図、図９はガイド用ブラケットの平面図、図１０はガイド用ブラケットの正面図、図１１はドライブシャーシの平面図、図１２はＭＤのプレイ状態を示す平面図、図１３はＭＤのプレイ状態を示す正面図である。
【００１４】
本実施例に係る記録媒体駆動装置は、車内の所定位置（例えばコンソール内）に設置される枠体１と、この枠体１の内部にオイルダンパ等の複数の弾性部材２を介して弾性的に支持されたメインシャーシ３と、このメインシャーシ３の下方に配置されたドライブシャーシ４と、メインシャーシ３の上方に配置されたアームクランプ５とを備えている。
【００１５】
図１に示すように、枠体１の前面を被覆する前面板６にＣＤ挿入口７とＭＤ挿入口８が開設されており、ＭＤ挿入口８はＣＤ挿入口７の左下に位置している。ＣＤ挿入口７からは第１のメディアであるＣＤ（コンパクトディスク）９が挿入・排出され、ＭＤ挿入口８からは第２のメディアであるＭＤ（ミニディスク）１０が挿入・排出されるようになっている。なお、周知のように、ＣＤ９は光ディスク単体であるが、ＭＤ１０は光磁気ディスク１０ａを合成樹脂製のカートリッジケース１０ｂ内に収納したものであり、カートリッジケース１０ｂには光磁気ディスク１０ａの一部を露出および閉塞するシャッタ１０ｃが設けられている（図１２参照）。
【００１６】
図２に示すように、メインシャーシ３の四隅は弾性部材２を介して枠体１の内部に弾性的に支持されており、このメインシャーシ３はロック機構によって枠体１に対して選択的にロックされるようになっている。このロック機構は、枠体１に取り付けられたロック用モータ１１と、ロック用モータ１１に歯車列１２を介して噛合する前後進可能なスライダ１３と、スライダ１３のカム孔１３ａにそれぞれ連結され、このスライダ１３の前後進に連動して支軸１４ａを中心に回転する一対のロック用アーム１４と、ロック用アーム１４の回転に連動して前後進する一対のロックレバー１５とを備えており、各ロックレバー１５の両端に設けられたロックピン１６はメインシャーシ３の前後４箇所に設けられた係止片１７と対向している。各係止片１７は平面視「くの字」状に折れ曲がっており、図５に示すように、各係止片１７の先端に側面視「Ｖ字」状の溝１７ａが形成されている。
【００１７】
図２はメインシャーシ３のロック解除状態を示しており、この場合、ロックピン１６は係止片１７の溝１７ａから外れており、メインシャーシ３は弾性部材２を介して枠体１に弾性的に支持されている。このロック解除状態からロック用モータ１１が一方向へ回転すると、スライダ１３とロック用アーム１４およびロックレバー１５が同図の矢印方向へ移動し、ロックピン１６が係止片１７の溝１７ａと係合するため、メインシャーシ３は枠体１に固定的に支持されたロック状態となる。また、ロック状態からロック用モータ１１が他方向へ回転すると、スライダ１３とロック用アーム１４およびロックレバー１５が矢印と反対方向へ移動し、メインシャーシ３は図２に示すロック解除状態に戻る。
【００１８】
図３〜図５に示すように、メインシャーシ３の上方にアームクランプ５とローラ１８が配設されており、このローラ１８はＣＤ挿入口７の奥方に位置し、図示せぬモータによって回転駆動されるようになっている。アームクランプ５はメインシャーシ３の上面に軸支されており、前述したロックレバー１５に連動して回動操作される。アームクランプ５の先端にクランパ１９が回転自在に保持されており、このクランパ１９に対向してＣＤ用ターンテーブル２０が配設されている。また、メインシャーシ３の下面左側にＭＤ１０を位置決めして保持するホルダ２１が固定されており、このホルダ２１の前面開口端はＭＤ挿入口８の奥方に位置し、ホルダ２１の下面にＭＤ用ターンテーブル２２が配設されている。
【００１９】
図６と図７に示すように、ＣＤ用ターンテーブル２０の回転軸２３はＣＤ用ブラケット２４に回転自在に軸支されている。ＣＤ用ターンテーブル２０の下面には内歯ギヤ２０ａが形成されており、この内歯ギヤ２０ａにＣＤ用スピンドルモータ２５の駆動ギヤ２５ａが噛合し、これによりＣＤ用ターンテーブル２０はＣＤ用スピンドルモータ２５によって回転駆動されるようになっており、このＣＤ用ブラケット２４はメインシャーシ３に弾性的に支持されている。すなわち、ＣＤ用ブラケット２４の３箇所にロケータ部２４ａが設けられており、各ロケータ部２４ａは保持板２６に垂設されたフランジ付きスタッド２７に挿入され、コイルばね２８の弾発力によって下方へ付勢されている。保持板２６はメインシャーシ３の上面に固定された部材であり、ＣＤ用ターンテーブル２０は保持板２６の開口２６ａを介してクランパ１９の真下に位置しており、後述するように、ＣＤ９のプレイ状態において、ＣＤ９はＣＤ用ターンテーブル２０とクランパ１９との間にチャッキングされた状態で回転する。また、ＣＤ用ブラケット２４の下面に一対のＶ字状の位置決め溝２４ｂと１つの平坦状の当接部２４ｃとが形成されており、両位置決め溝２４ｂは所定距離を置いた同一線上に位置し、当接部２４ｃはＣＤ用ターンテーブル２０を介して一方の位置決め溝２４ｂと対向している。
【００２０】
図８に示すように、ＭＤ用ターンテーブル２２はＭＤ用ブラケット２９に取り付けられたＭＤ用スピンドルモータ３０によって回転駆動されるようになっており、このＭＤ用ブラケット２９はメインシャーシ３に固定されたホルダ２１の下面に弾性的に支持されている。すなわち、ＭＤ用ブラケット２９の２箇所にロケータ部２９ａが設けられており、図示省略してあるが、各ロケータ部２９ａは前述したＣＤ用ブラケット２４と同様に、フランジ付きスタッドに挿入されてコイルばねの弾発力によってホルダ２１の下方へ付勢されている。また、ＭＤ用ブラケット２９の下面にも一対のＶ字状の位置決め溝２９ｂと１つの平坦状の当接部２９ｃとが形成されており、両位置決め溝２９ｂは所定距離を置いた同一線上に位置し、当接部２９ｃはＭＤ用ターンテーブル２２を介して一方の位置決め溝２９ｂと対向している。
【００２１】
メインシャーシ３の前後に一対のガイド用ブラケット３１が固定されており、これらガイド用ブラケット３１間にドライブシャーシ４が配設されている。図９と図１０に示すように、後面側のガイド用ブラケット３１にはラック３２とガイド孔３３が図示左右方向に一対並設されている。ラック３２は上下方向へ延びる長垂直部３２ａと短垂直部３２ｂおよびこれら長垂直部３２ａと短垂直部３２ｂ間を連結する水平部３２ｃとで構成されており、全体的にＵ字状に連続している。ガイド孔３３はラック３２の外側に位置するガイド用ブラケット３１の膨出部３１ａに穿設されており、ラック３２と相似形をなし全体的にＵ字状に形成されている。なお、前面側のガイド用ブラケット３１にはラック３２とガイド孔３３が１つずつ形成されており、これらラック３２とガイド孔３３も後面側のガイド用ブラケット３１と同様に構成されている。このように、前面側のガイド用ブラケット３１を１つとすることにより、ＭＤ挿入口８から挿入・排出されるＭＤ１０の搬送経路を確保することができる。
【００２２】
図１１に示すように、ドライブシャーシ４上には移動用モータ３４とスレッドモータ３５が取り付けられており、移動用モータ３４の回転力はウォーム３６ａを含む歯車列３６を介してドライブシャーシ４の前後３箇所に設けられた移動用ギヤ３７に伝達される。これら移動用ギヤ３７の１つは手前側のガイド用ブラケット３１のラック３２と噛合し、残り２つの移動用ギヤ３７は後端側のガイド用ブラケット３１のラック３２と噛合しており、各移動用ギヤ３７の先端のピン３７ａはラック３２と対応するそれぞれのガイド孔３３に移動可能に嵌挿されている。また、ドライブシャーシ４上にはスクリューシャフト３８が軸支されており、このスクリューシャフト３８はスレッドモータ３５を駆動源として歯車列３９を介して回転する。スクリューシャフト３８の回転は図示しないメネジ部材を介して光ピックアップ４０に伝達され、それによって光ピックアップ４０が互いに平行なメインシャフト４１とサブシャフト４２に沿って往復移動し、検出スイッチ４３によって光ピックアップ４０の内方端位置が検出される。メインシャフト４１とサブシャフト４２は断面円形の中実軸であり、それぞれの両端は支持体４４，４５を介してドライブシャーシ４上に固定されている。
【００２３】
移動用モータ３４が正逆いずれかの方向へ回転すると、各移動用ギヤ３７がラック３２に噛合しながらガイド孔３３に沿って移動し、ドライブシャーシ４がメインシャーシ３に対して接離する上下方向および水平方向へ移動する。この場合、移動用ギヤ３７がラック３２の長垂直部３２ａに噛合するときに、ドライブシャーシ４は光ピックアップ４０がＣＤ９と対向する第１の位置となり、この第１の位置でドライブシャーシ４がＣＤ用ブラケット２４に近づく方向へ上昇すると、図７に示すように、メインシャフト４１の２箇所がＶ字状の位置決め溝２４ｂに入り込むと共に、サブシャフト４２の１箇所が平坦状の当接部２４ｃに突き当たり、この状態でドライブシャーシ４がさらに微少量上昇して停止する。その結果、ＣＤ用ブラケット２４はコイルばね２８の弾発力によりメインシャフト４１とサブシャフト４２に押し付けられ、両位置決め溝２４ｂと当接部２４ｃの計３点支持の原理により、ＣＤ用ブラケット２４に搭載されたＣＤ用ターンテーブル２０はドライブシャーシ４に固定されたメインシャフト４１とサブシャフト４２と同じ傾きに維持される。一方、移動用ギヤ３７がラック３２の短垂直部３２ｂに噛合するときに、ドライブシャーシ４は光ピックアップ４０がＭＤ１０と対向する第２の位置となり、この第２の位置でドライブシャーシ４はＭＤ用ブラケット２９に近づく方向へ上昇する。この場合も、ドライブシャーシ４がＭＤ用ブラケット２９に近づく方向へ上昇すると、メインシャフト４１の２箇所がＶ字状の位置決め溝２９ｂに入り込むと共に、サブシャフト４２の１箇所が平坦状の当接部２９ｃに突き当たり、この状態でドライブシャーシ４がさらに微少量上昇して停止する。その結果、ＭＤ用ブラケット２９は図示省略したコイルばねの弾発力によりメインシャフト４１とサブシャフト４２に押し付けられ、両位置決め溝２９ｂと当接部２９ｃの計３点支持の原理により、ＭＤ用ブラケット２９に搭載されたＭＤ用ターンテーブル２２はドライブシャーシ４に固定されたメインシャフト４１とサブシャフト４２と同じ傾きに維持される。なお、メインシャフト４１とサブシャフト４２の各ブラケット２４，２９との接触箇所は、光ピックアップ４０の移動範囲よりも外側となっているため、記録または再生動作中に光ピックアップ４０が各ブラケット２４，２９と衝突することはない。
【００２４】
図３に戻り、メインシャーシ３の左側奥部にはＭＤローディング用のモータ４６が取り付けられており、このモータ４６を駆動源とし歯車列４７を介して回転するカム部材４８がメインシャーシ３上に軸支されている。また、メインシャーシ３には前後方向に延びる長孔４９が穿設されており、この長孔４９に摺動自在に嵌合されたブラケット５０はカム部材４８の長孔４８ａと係合している。ブラケット５０にはＭＤ１０の挿入によって動作される検出スイッチ５１が搭載されており、この検出スイッチ５１からの出力信号に基づいてＭＤローディング用のモータ４６が回転する。また、ブラケット５０には掛止部５２が設けられており、ＭＤ１０に形成された凹部がこの掛止部５２に掛止され、ブラケット５０と共にＭＤ１０がホルダ２１内の所定位置に搬送される。
【００２５】
図３はＭＤ１０を挿入する前の状態を示しており、この状態でＭＤ挿入口８からＭＤ１０を挿入すると、検出スイッチ５１によってＭＤ１０の挿入が検知され、ＭＤローディング用のモータ４６の一方向への回転に伴ってカム部材４８が同図の矢印Ａ方向へ回転し、ブラケット５０が長孔４９に沿って同図の矢印Ｂ方向へ後退することにより、ＭＤ１０はブラケット５０の掛止部５２に係合した状態でホルダ２１内の所定位置まで搬送され、その搬送途中でシャッタ１０ｃが開放してカートリッジケース１０ｂの窓孔１０ｄから光磁気ディスク１０ａを露出する。
【００２６】
次に、上記の如く構成された記録媒体駆動装置の動作を説明する。
【００２７】
まず、ＣＤ９とＭＤ１０の両メディアが排出されている（未挿入）待機状態において、各移動用ギヤ３７はラック３２の水平部３２ｃと噛合しており、ドライブシャーシ４は下降位置にある。このとき、ロックピン１６は係止片１７の溝１７ａと係合しており、メインシャーシ３やドライブシャーシ４等を含むメカニズム全体は枠体１に対して固定的に支持されたロック状態となっている。
【００２８】
この待機状態からＣＤ９を再生する場合、ＣＤ９をＣＤ挿入口７から挿入すると、図示しないフォトセンサ等の検知手段によりＣＤ９の挿入が検知され、この検知出力に基づいてローラ１８が回転し、その回転力によりＣＤ９が内部へ搬送される。ＣＤ９のセンタ孔が保持板２６の開口２６ａ内に臨出するＣＤ用ターンテーブル２０の真上までくると、図示せぬ検出スイッチから搬送ＥＮＤ信号が出力され、この検出信号に基づいてローラ１８の回転が停止し、ＣＤ９は図３に示すようにＣＤ用ターンテーブル２０の真上で停止する。また、この搬送ＥＮＤ信号に基づいて移動用モータ３４が回転し、移動用ギヤ３７がラック３２に噛合しながら水平部３２ｃから長垂直部３２ａへと移動する。さらに移動用モータ３４が回転し続けると、移動用ギヤ３７が長垂直部３２ａと噛合しながら上昇し、よって、ドライブシャーシ４は図４に示すように上昇位置へ移動する。かかるドライブシャーシ４の上昇に伴ってドライブシャーシ４がＣＤ用ブラケット２４に近づき、前述したように、ＣＤ用ブラケット２４の両位置決め溝２４ｂと当接部２４ｃがそれぞれドライブシャーシ４上のメインシャフト４１とサブシャフト４２に連結され（図７参照）、ＣＤ用ブラケット２４がコイルばね２８の付勢力に抗して若干持ち上げられることにより、ＣＤ９はクランパ１９とＣＤ用ターンテーブル２０間にチャッキングされた状態となり、このチャッキング完了状態で移動用モータ３４は停止する。
【００２９】
しかる後、あるいはドライブシャーシ４の上昇と同時に、ロック用モータ１１が回転することにより、ロックピン１６が係止片１７の溝１７ａから外れてロック解除状態となり、メインシャーシ３やドライブシャーシ４等を含むメカニズム全体は枠体１に弾性部材２を介して弾性的に支持される。そして、ＣＤ用スピンドルモータ２５によってＣＤ用ターンテーブル２０を回転し、スレッドモータ３５によって光ピックアップ４０をＣＤ９の半径方向へ移送することにより、ＣＤ９のプレイ動作が開始される。かかるＣＤ９のプレイ動作時において、メカニズム全体が枠体１内で弾性的に支持されているため、外部振動が光ピックアップ４０に直接伝達されて音飛び等の障害が発生するのを防止できる。
【００３０】
一方、ＭＤ１０を再生する場合は、ＭＤ１０をＭＤ挿入口８から挿入すると検出スイッチ５１がオン動作され、この検出スイッチ５１のオン信号に基づいてＭＤローディング用のモータ４６が回転する。このモータ４６の回転によってカム部材４８が図３の矢印Ａ方向へ回転すると、ブラケット５０が長孔４９に沿って同図の矢印Ｂ方向へ後退するため、ブラケット５０の掛止部５２に係合するＭＤ１０はホルダ２１の奥へと搬送され、その搬送途中でシャッタ１０ｃが開放してカートリッジケース１０ｂの窓孔１０ｄから光磁気ディスク１０ａが露出する。ＭＤ１０の光磁気ディスク１０ａのセンタがＭＤ用ターンテーブル２２の真上までくると、図示せぬ検出スイッチから搬送ＥＮＤ信号が出力され、この検出信号に基づいてＭＤローディング用のモータ４６が停止し、その代わりに移動用モータ３４が回転を開始する。
【００３１】
この場合、移動用ギヤ３７はラック３２に噛合しながら水平部３２ｃから短垂直部３２ｂへと移動し、さらに短垂直部３２ｂに沿って上昇するため、ドライブシャーシ４は図１３に示すように上昇位置へ移動する。かかるドライブシャーシ４の上昇に伴ってドライブシャーシ４がＭＤ用ブラケット２９に近づき、前述したように、ＭＤ用ブラケット２９の両位置決め溝２９ｂと当接部２９ｃがそれぞれドライブシャーシ４上のメインシャフト４１とサブシャフト４２に連結される。そして、ＭＤ用ブラケット２９がコイルばねの付勢力に抗して持ち上げられることにより、ＭＤ１０の光磁気ディスク１０ａの金属ハブはＭＤ用ターンテーブル２２に磁気吸着された状態となり、この吸着完了状態で移動用モータ３４は停止する。しかる後、あるいはドライブシャーシ４の上昇と同時に、ロック用モータ１１が回転することによりロック解除状態となり、この状態でＭＤ用スピンドルモータ３０によってＭＤ用ターンテーブル２２を回転し、スレッドモータ３５によって光ピックアップ４０をＣＤ９の半径方向へ移送することにより、ＭＤ１０のプレイ動作が開始される。
【００３２】
上記実施例にあっては、ＣＤ９とＭＤ１０の両メディアを同時にメカニズム内に収容して一方のメディアを選択的に再生したり、一方のメディアの再生中に他方のメディアを挿入または排出することができる。例えば、プレイ状態にあるＣＤ９の代わりに既にホルダ２１内に収容されているＭＤ１０を再生する場合は、ＣＤ９をＣＤ用ターンテーブル２０上に載置したままの状態で、上昇位置にあったドライブシャーシ４が一旦下降して待機状態まで移動した後、移動用ギヤ３７がラック３２の水平部３２ｃ上を移動することにより、ドライブシャーシ４がＭＤ１０と対向する位置まで水平移動し、その後、移動用ギヤ３７がラック３２の短垂直部３２ｂ上を移動することにより、ドライブシャーシ４が上昇してＭＤ１０のプレイ動作が開始される。その際、ドライブシャーシ４の下降に伴ってＣＤ用ブラケット２４の両位置決め溝２４ｂと当接部２４ｃがメインシャフト４１とサブシャフト４２から外れ、ＣＤ用ブラケット２４に搭載されたＣＤ用ターンテーブル２０が若干下降するが、これに追従してクランパ１９も下降するためＣＤ９のチャッキング状態は保持される。また、プレイ状態にあるＭＤ１０の代わりに既にＣＤ用ターンテーブル２０とクランパ１９によりチャッキングされているＣＤ９を再生する場合は、ＭＤ１０をホルダ２１内に収容したままの状態で、一旦ドライブシャーシ４が下降して待機状態まで移動した後、移動用ギヤ３７がラック３２の水平部３２ｃおよび長垂直部３２ａ上を移動することにより、ドライブシャーシ４が再度上昇してＣＤ９のプレイ動作が開始される。したがって、ＣＤ９とＭＤ１０を枠体１内に同時に収容した状態でドライブシャーシ４を上下かつ水平方向へ移動することにより、いずれか一方のメディアを選択的に再生することができる。
【００３３】
また、上記実施例にあっては、ドライブシャーシ４をメインシャーシ３に近接させたとき、このメインシャーシ３に弾性支持されたＣＤ用ブラケット２４とＭＤ用ブラケット２９の各位置決め溝２４ｂ，２９ｂおよび当接部２４ｃ，２９ｃを光ピックアップ移送機構のメインシャフト４１とサブシャフト４２の計３箇所に圧接させているため、両ターンテーブル２０，２２の傾きと両シャフト４１，４２の傾きが同じになり、両メディア（ＣＤ９とＭＤ１０）と光ピックアップ４０との相対的な位置精度を高めて確実な記録および／または再生動作を行うことができる。その際、メインシャフト４１の２箇所にＶ字状の位置決め溝２４ｂ，２９ｂを圧接させ、サブシャフト４２の１箇所に平坦な当接部２４ｃ，２９ｃを圧接させているため、メインシャフト４１とサブシャフト４２間の寸法にバラツキが生じたとしても、このバラツキは当接部２４ｃ，２９ｃのサブシャフト４２に対する接触点がずれることによって吸収され、信頼性が向上する。
【００３４】
なお、上記実施例では、ＣＤ用ブラケット２４とＭＤ用ブラケット２９をメインシャーシ３に弾性支持する構造として、フランジ付きスタッドとコイルばねを用いた場合について説明したが、板ばね等の他の弾性部材を用いてＣＤ用ブラケット２４とＭＤ用ブラケット２９をメインシャーシ３に弾性支持することも可能である。
【００３５】
【発明の効果】
本発明は、以上説明したような形態で実施され、以下に記載されるような効果を奏する。
【００３６】
メインシャーシ側に第１のメディアを回転駆動する第１のターンテーブルと第２のメディアを回転駆動する第２のターンテーブルとを弾性支持すると共に、このメインシャーシに対して移動可能なドライブシャーシ側に光ピックアップとその移送機構を搭載し、ドライブシャーシをメインシャーシに近接させたとき、第１または第２のブラケットを光ピックアップ移送機構のガイドシャフトに圧接させて位置決めするように構成すると、メインシャーシ側の所定位置に装着された両メディアに対して光ピックアップを移動することができるため、両メディアを同時に収容した状態で一方のメディアを選択的に記録および／または再生することが可能になり、ユーザにとって使い勝手が非常に良好になる。また、ドライブシャーシをメインシャーシに近接させたとき、メインシャーシ側に弾性支持された第１または第２のブラケットがドライブシャーシ側に搭載された光ピックアップ移送機構のガイドシャフトに圧接されることにより、第１および第２のターンテーブルの傾きとガイドシャフトの傾きが同じになるため、両メディアと光ピックアップとの相対的な位置精度が向上し、光ピックアップによる両メディアの記録および／または再生動作を確実に行うことができる。
【図面の簡単な説明】
【図１】実施例に係る記録媒体駆動装置の正面図である。
【図２】ロック機構を示す平面図である。
【図３】ＣＤのプレイ状態を示す平面図である。
【図４】ＣＤのプレイ状態を示す正面図である。
【図５】ＣＤのプレイ状態を示す側面図である。
【図６】ＣＤ用ブラケットの平面図である。
【図７】ＣＤ用ブラケットとドライブシャーシの連結状態を示す説明図である。
【図８】ＭＤ用ブラケットの平面図である。
【図９】ガイド用ブラケットの平面図である。
【図１０】ガイド用ブラケットの正面図である。
【図１１】ドライブシャーシの平面図である。
【図１２】ＭＤのプレイ状態を示す平面図である。
【図１３】ＭＤのプレイ状態を示す正面図である。
【符号の説明】
１  枠体
３  メインシャーシ
４  ドライブシャーシ
６  前面板
７  ＣＤ挿入口
８  ＭＤ挿入口
９  ＣＤ（第１のメディア）
１０  ＭＤ（第２のメディア）
１９  クランパ
２０  ＣＤ用ターンテーブル（第１のターンテーブル）
２１  ホルダ
２２  ＭＤ用ターンテーブル（第２のターンテーブル）
２４  ＣＤ用ブラケット
２４ｂ  位置決め溝
２４ｃ  当接部（平坦部）
２５  ＣＤ用スピンドルモータ
２６  保持板
２７  フランジ付きスタッド
２８  コイルばね
２９  ＭＤ用ブラケット
２９ｂ  位置決め溝
２９ｃ  当接部（平坦部）
３０  ＭＤ用スピンドルモータ
３１  ガイド用ブラケット
３２  ラック
３２ａ  長垂直部
３２ｂ  短垂直部
３２ｃ  水平部
３３  ガイド孔
３４  移動用モータ
３５  スレッドモータ
３６  歯車列
３７  移動用ギヤ
３７ａ  ピン
４０  光ピックアップ
４１  メインシャフト
４２  サブシャフト
【図１】
0003694417.tif 000002
【図２】
0003694417.tif 000003
【図３】
0003694417.tif 000004
【図４】
0003694417.tif 000005
【図５】
0003694417.tif 000006
【図６】
0003694417.tif 000007
【図７】
0003694417.tif 000008
【図８】
0003694417.tif 000009
【図９】
0003694417.tif 000010
【図１０】
0003694417.tif 000011
【図１１】
0003694417.tif 000012
【図１２】
0003694417.tif 000013
【図１３】
0003694417.tif 000014